(57)【要約】      （修正有）【課題】掃除機を掛けることができ、掃除機付属品および掃除ロボットを下方に収容することが可能な省スペースの直立型掃除機用ラックを提供する。【解決手段】ラックは、プレート状を呈し、適当な位置に、互いに対称する少なくとも二つの第１連接部が設けられている台座１と、Ｃ字形を呈し、両端に翼部がそれぞれ伸び、各翼部に第２連接部がそれぞれ設けられ、第１連接部材を介して、台座の第１連接部に脱着可能に設けられている底枠２と、底枠から上方へ伸び、上端に第３連接部を有し、適当な位置に付属品物置枠３２が少なくとも一つ設けられている下物置枠３と、下端に第４連接部が設けられ、上端に掃除機組付板４２が設けられ、第２連接部材により、第４連接部と第３連接部が脱着可能に連接する上物置枠４と、を備える。【選択図】図１
0003223790.tif 000002
【実用新案登録請求の範囲】
【請求項１】
プレート状を呈し、その適当の位置に、互いに対称する少なくとも二つの第１連接部が設けられている台座と、
Ｃ字形を呈し、その両端に翼部がそれぞれ伸びており、各前記翼部に第２連接部がそれぞれ設けられており、第１連接部材を介して、前記台座の前記第１連接部に脱着可能に設けられている底枠と、
前記底枠から上方へ伸び、その上端は第３連接部を有し、その適当の位置に付属品物置枠が少なくとも一つ設けられている下物置枠と、
その下端に第４連接部が設けられており、その上端に掃除機組付板が設けられており、第２連接部材により、前記第４連接部と前記第３連接部は脱着可能に連接する上物置枠と、を備える
ことを特徴とする掃除機用ラック。
【請求項２】
前記台座と前記底枠との間には、半分に開放する収容部が形成されている
ことを特徴とする、請求項１に記載の掃除機用ラック。
【請求項３】
前記付属品物置枠は凸部を有する
ことを特徴とする、請求項１に記載の掃除機用ラック。
【請求項４】
前記凸部はコ字形を呈する
ことを特徴とする、請求項３に記載の掃除機用ラック。
【請求項５】
前記台座の一端には、上へ屈折する立設板が設けられている
ことを特徴とする、請求項１に記載の掃除機用ラック。
【考案の詳細な説明】
【技術分野】
【０００１】
本考案は、掃除機、掃除機の付属品および掃除ロボットの枠體を置くことが可能な直立型の掃除機用ラックに関するものである。
【背景技術】
【０００２】
市販しているハンドヘルド掃除機は、わざわざ壁に固定することが一般的であり、固定された後、位置の変更および取外しが容易ではなく、そして掃除機の付属品を収納する位置が一定ではないため、掃除機の付属品の紛失や損壊が偶々に発生する。従来の問題を解決するために、あるメーカーは掃除機、付属品および掃除ロボットを収容することが可能な製品を開発した。例えば中華民国実用新案Ｍ５６８０８８号の「吸塵装置用収納枠」は提案された。このような吸塵装置用収納枠は、掃除機、付属品および掃除ロボットを同時に収納することが可能であるが、付属品と掃除機は、それぞれ前側と後側に置くことが必要である。そうすると、必要な置き空間が大きくなり、そして付属品の置き方を改善することも期待される。
【先行技術文献】
【特許文献】
【０００３】
【特許文献１】中華民国実用新案Ｍ５６８０８８号公報
【考案の概要】
【考案が解決しようとする課題】
【０００４】
本考案の主な目的は、掃除機を掛けることができ、下方に掃除ロボットを収容することができ、掃除機や掃除ロボットの関連の付属品を置くこともでき、一つのラックで多種の清掃工具および付属品を収納できる効果を有し、そして壁に直接に当接することができるため、省スペース効果を得ることができる掃除機用ラックを提供することにある。
【課題を解決するための手段】
【０００５】
本考案に係る掃除機用ラックによると、プレート状を呈し、その適当の位置に、互いに対称する少なくとも二つの第１連接部が設けられている台座と、
Ｃ字形を呈し、その両端に翼部がそれぞれ伸びており、各翼部に第２連接部がそれぞれ設けられており、第１連接部材を介して、台座の第１連接部に脱着可能に設けられている底枠と、
底枠から上方へ伸び、その上端は第３連接部を有し、その適当の位置に付属品物置枠が少なくとも一つ設けられている下物置枠と、
その下端に第４連接部が設けられており、その上端に掃除機組付板が設けられており、第２連接部材により、第４連接部と第３連接部は脱着可能に連接する上物置枠と、
を備えることを特徴とする。
【０００６】
本考案に係る掃除機用ラックによると、台座と底枠との間には、半分に開放する収容部が形成されていることを特徴とする。
【０００７】
本考案に係る掃除機用ラックによると、付属品物置枠は凸部を有することを特徴とする。
【０００８】
本考案に係る掃除機用ラックによると、凸部はコ字形を呈することを特徴とする。
【０００９】
本考案に係る掃除機用ラックによると、台座の一端には、上へ屈折する立設板が設けられていることを特徴とする。
【考案の効果】
【００１０】
本考案に係る掃除機用ラックによれば、掃除機を掛けることができ、下方に掃除ロボットを収容することができ、掃除機や掃除ロボットの関連の付属品を置くこともでき、一つのラックで多種の清掃工具および付属品を収納できる効果を有し、そして壁に直接に当接することができるため、省スペース効果を得ることができるという効果を有する。
【図面の簡単な説明】
【００１１】
【図１】本考案に係る掃除機用ラックを示す斜視図である。
【図２】本考案に係る掃除機用ラックを示す分解斜視図である。
【図３】本考案に係る掃除機用ラックの一部を示す斜視図である。
【図４】本考案に係る掃除機用ラックの使用状態を示す図である。
【考案を実施するための形態】
【００１２】
以下、本考案の実施の形態を図面に基づいて説明する。
【００１３】
図１から図４を参照する。本考案に係る掃除機用ラック１００は、台座１と、底枠２と、下物置枠３と、上物置枠４と、を備える。
【００１４】
台座１は、プレート状を呈し、その適当の位置に、互いに対称する少なくとも二つの第１連接部１１が設けられている。
【００１５】
底枠２は、Ｃ字形を呈し、その両端に翼部２１がそれぞれ伸びており、各翼部２１に第２連接部２１１がそれぞれ設けられており、第１連接部材２２を介して、台座１の第１連接部１１に脱着可能に設けられている。
【００１６】
下物置枠３は、底枠２から上方へ伸び、その上端は第３連接部３１を有し、その適当の位置に付属品物置枠３２が少なくとも一つ設けられている。
【００１７】
上物置枠４は、その下端に第４連接部４１が設けられており、その上端に掃除機組付板４２が設けられており、第２連接部材４３により、第４連接部４１と第３連接部３１は脱着可能に連接する。
【００１８】
台座１と底枠２との間には、半分に開放する収容部１２が形成されている。これにより、掃除ロボット３００は、その受信器が受信することができ、台座１に停止して充電することができ、収容部１２に収容されることができる。
【００１９】
付属品物置枠３２は凸部３２１を有する。凸部３２１はコ字形を呈する。これにより、掃除機付属品４００を凸部３２１に嵌合することができ、使用者は掃除機付属品４００を迅速に収納し、又は取り出して利用することができる。
【００２０】
また、台座１の一端には、上へ屈折する立設板１３が設けられている。立設板１３により、掃除ロボット３００の受信器を遮蔽することができ、底板１の物理的強度が増加されて変形しにくい。
【００２１】
本考案に係る掃除機用ラック１００によれば、掃除機２００を掛けることができ、下方に掃除ロボット３００を収容することができ、掃除機や掃除ロボットの関連の付属品４００を置くこともでき、一つのラックで多種の清掃工具および付属品を収納できる効果を有し、そして壁に直接に当接することができるため、省スペース効果を得ることができる。
【符号の説明】
【００２２】
１    台座
２    底枠
３    下物置枠
４    上物置枠
１１  第１連接部
１２  収容部
１３  立設板
２１  翼部
２２  第１連接部材
３１  第３連接部
３２  付属品物置枠
４１  第４連接部
４２  掃除機組付板
４３  第２連接部材
１００  掃除機用ラック
２００  掃除機
２１１  第２連接部
３００  掃除ロボット
３２１  凸部
４００  掃除機付属品
【図１】
0003223790.tif 000003
【図２】
0003223790.tif 000004
【図３】
0003223790.tif 000005
【図４】
0003223790.tif 000006